(57)【要約】      （修正有）【課題】おむつの装着によってペットの成長度合いを把握し易いペット用おむつを提供する。【解決手段】ペット用おむつ１は、ペットの胴回り方向に沿って配置される胴回り方向と、胴回り方向と直交する交差方向と、表面シート、裏面シート、及び表面シートと裏面シートの間に配置された吸収コア３０を有する本体部と、本体部の裏面シート側の面と本体部の表面シート側の面を接合する接合部４０と、を有する。ペット用おむつ１は、ペットの胴回りに巻きつけられて装着される。ペット用おむつは、胴回り方向において間隔を空けて複数配置された目印部５０を有する。【選択図】図４
2020188697.tif 000002
【特許請求の範囲】
【請求項１】
ペットの胴回り方向に沿って配置される胴回り方向と、
前記胴回り方向と直交する交差方向と、
表面シート、裏面シート、及び前記表面シートと前記裏面シートの間に配置された吸収コアを有する本体部と、
前記本体部の前記胴回り方向の一端側に位置する本体第１端部に設けられた接合部と、を有し、
ペットの胴回りに巻きつけられて装着される、ペット用おむつであって、
前記ペット用おむつは、前記胴回り方向において間隔を空けて複数配置された目印部を有する、ペット用おむつ。
【請求項２】
前記目印部は、前記交差方向においても間隔を空けて複数配置されている、請求項１に記載のペット用おむつ。
【請求項３】
前記接合部は、前記本体第１端部の裏面側の面に設けられており、
前記目印部は、前記本体第１端部の裏面側から視認可能に設けられている、請求項１又は請求項２に記載のペット用おむつ。
【請求項４】
前記接合部は、前記本体第１端部の裏面側の面に設けられており、
前記目印部は、前記本体部の前記胴回り方向の他端側に位置する本体第２端部の表面側から視認可能に設けられている、請求項１から請求項３のいずれか１項に記載のペット用おむつ。
【請求項５】
前記接合部は、前記本体第１端部の表面側の面に設けられており、
前記目印部は、前記本体部の前記胴回り方向の他端側に位置する本体第２端部の裏面側から視認可能に設けられている、請求項１又は請求項２に記載のペット用おむつ。
【請求項６】
ペットの胴回り方向に沿って配置される胴回り方向と、
前記胴回り方向と直交する交差方向と、
表面シート、裏面シート、及び前記表面シートと前記裏面シートの間に配置された吸収コアを有する本体部と、
前記本体部の前記交差方向の一端側に位置する本体第３端部において、前記本体部から前記胴回り方向の外側に延出する接合部と、を有し、
ペットの腹側から股下を通って背側まで覆うように装着される、ペット用おむつであって、
前記ペット用おむつは、前記交差方向において間隔を空けて複数配置された目印部を有する、ペット用おむつ。
【請求項７】
前記本体部は、前記本体部の胴回り方向の外側縁が前記胴回り方向の内側に向かって凹み、ペットの脚回りに沿って配置される一対の脚回り開口部を有し、
前記複数の目印部のうち少なくとも一つの目印部は、前記一対の脚回り開口部によって挟まれた領域に配置されている、請求項６に記載のペット用おむつ。
【請求項８】
前記目印部は、前記胴回り方向においても間隔を空けて複数配置されている、請求項６又は請求項７に記載のペット用おむつ。
【請求項９】
前記ペットの尻尾を挿通可能な貫通穴と、前記貫通穴の寸法を拡大するための切り込み部と、を有する尻尾穴部が設けられており、
前記目印部は、前記ペット用おむつの前記裏面シート側から視認可能に構成され、前記尻尾穴部を指標する尻尾目印部を有する、請求項６から請求項８のいずれか１項に記載のペット用おむつ。
【請求項１０】
請求項１から請求項９のいずれか１項に記載のペット用おむつと、前記ペット用おむつを複数収容する包装体を有する収容体であって、
前記ペット用おむつは、前記裏面シートに第１装飾部及び前記目印部が印刷された第１おむつと、前記裏面シートに第１装飾部と異なるデザインの第２装飾部及び前記目印部が印刷された第２おむつを有しており、
前記裏面シートは、前記胴回り方向と前記交差方向の少なくとも一方を含む連続方向において前記本体部の全域に配置されている、ペット用おむつの収容体。
【請求項１１】
前記裏面シートは、前記連続方向において前記裏面シートの外端縁から内側に延びる外側領域と、前記外側領域よりも前記連続方向の内側に位置する内側領域と、を有し、
前記第１装飾部及び前記第２装飾部は、前記内側領域に設けられており、
前記第１おむつの前記外側領域と、前記第２おむつの前記外側領域には、同一のデザインの共通装飾部が印刷されており、
前記共通装飾部は、前記第１装飾部及び前記第２装飾部と異なる、請求項１０に記載の収容体。
【請求項１２】
前記裏面シートは、前記連続方向において前記裏面シートの外端縁から内側に延びる外側領域と、前記外側領域よりも前記連続方向の内側に位置する内側領域と、を有し、
前記第１装飾部及び前記第２装飾部は、前記内側領域に設けられており、
前記第１おむつの前記外側領域と、前記第２おむつの前記外側領域には、印刷がなされていない非印刷部が設けられている、請求項１０に記載の収容体。
【請求項１３】
シート材が連続した連続シート体を搬送するシート搬送工程と、
前記連続シート体に目印部を付与する目印付与工程と、
前記目印部を有する前記連続シート体に対して吸収コアを積層するコア積層工程と、
前記コア積層工程は、前記連続シート体の目印部の位置を検出し、当該目印部の位置に基づいて前記吸収コアの積層位置を調整する、ペット用おむつの製造方法。
【発明の詳細な説明】
【技術分野】
【０００１】
本発明は、犬や猫などのペットに装着されるペット用おむつ及びペット用おむつの製造方法に関する。
【背景技術】
【０００２】
特許文献１及び２には、ペット用おむつが開示されている。特許文献１のペット用おむつは、ペットの腹側に当てられる腹当て部と、ペットの背側に当てられる背当て部と、背当て部において尻尾を挿通させるための尻尾穴部と、腹当て部に設けられたファスナーテープと、を有する。特許文献１のペットおむつを装着する際は、尻尾穴部に尻尾を通しつつ、ペットの腹側に腹当て部を当てるとともに背側に背当て部を当てて、ファスナーテープを背当て部に止める（特許文献１の図４参照）。
【０００３】
また、特許文献２のペット用おむつは、吸収コアを有する帯状の本体と、本体の表面側に配置された粘着シールと、本体の裏面側に配置されたシール受け部と、を有する。特許文献２のペットおむつを装着する際は、ペットの胴回り方向に本体の長手方向を沿わせて、ペットの尿道口を吸収コアによって覆うように位置合わせを行い、粘着シールとシール受け部を介してペットの胴回りにペット用おむつを巻き付ける（特許文献２の図３参照）。
【先行技術文献】
【特許文献】
【０００４】
【特許文献１】特開２００３−２１００６２号公報
【特許文献２】実用新案登録第３１４１５５８０号公報
【発明の概要】
【発明が解決しようとする課題】
【０００５】
一般的に、ペット用おむつは、種々のサイズが提供されており、ペットの種類や成長度合いに応じて、使用者が適したサイズを選択している。しかし、使用者によっては、サイズの選択方法がわからずに、適したサイズのペット用おむつを使用できないことがあった。
【０００６】
また、おむつのサイズが変わることによって、使用者は、ペットの成長を感じることができる。使用者によっては、おむつのフィット感やサイズの変更等を通じて、ペットの成長度合いを楽しんでいる。
【０００７】
よって、おむつの装着によってペットの成長度合いを把握し易いペット用おむつを提供することを目的とする。
【課題を解決するための手段】
【０００８】
一態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記本体部の前記胴回り方向の一端側に位置する本体第１端部に設けられた接合部と、を有し、ペットの胴回りに巻きつけられて装着される、ペット用おむつであって、前記ペット用おむつは、前記胴回り方向において間隔を空けて複数配置された目印部を有する。
【０００９】
他態様に係るペット用おむつは、前記胴回り方向と直交する交差方向と、表面シート、裏面シート、及び前記表面シートと前記裏面シートの間に配置された吸収コアを有する本体部と、前記本体部の前記交差方向の一端側に位置する本体第２端部において、前記本体部から前記胴回り方向の外側に延出する接合部と、を有し、ペットの腹側から股下を通って背側まで覆うように装着される、ペット用おむつであって、前記ペット用おむつは、前記交差方向において間隔を空けて複数配置された目印部を有する。
【００１０】
一態様に係るペット用おむつの収容体は、ペット用おむつと、前記ペット用おむつを複数収容する包装体を有する。前記ペット用おむつは、前記裏面シートに第１装飾部及び前記目印部が印刷された第１おむつと、前記裏面シートに第１装飾部と異なるデザインの第２装飾部及び前記目印部が印刷された第２おむつを有しており、前記裏面シートは、前記胴回り方向と前記交差方向の少なくとも一方を含む連続方向において前記本体部の全域に配置されている。
【００１１】
一態様に係るペット用おむつの製造方法は、シート材が連続した連続シート体を搬送するシート搬送工程と、前記連続シート体に目印部を付与する目印付与工程と、前記目印部を有する前記連続シート体に対して吸収コアを積層するコア積層工程と、前記コア積層工程は、前記連続シート体の目印部の位置を検出し、当該目印部の位置に基づいて前記吸収コアの積層位置を調整する。
【図面の簡単な説明】
【００１２】
【図１】第１実施形態に係るペット用おむつの肌面側から見た平面図である。
【図２】第１実施形態に係るペット用おむつの非肌面側から見た平面図である示す図である。
【図３】図１に示すＡ−Ａ線に沿ったペット用おむつの模式的断面図である。
【図４】第１実施形態に係るペット用おむつの着用状態を模式的に示した図である。
【図５】第２実施形態に係るペット用おむつの肌面側から見た平面図である。
【図６】第２実施形態に係るペット用おむつの非肌面側から見た平面図である。
【図７】第２実施形態に係るペット用おむつの着用状態を模式的に示した図である。
【図８】ペット用おむつの収容体の一例を示す図である。
【図９】ペット用おむつの収容体の変形例を示す図である。
【発明を実施するための形態】
【００１３】
（１）実施形態の概要
本明細書及び添付図面の記載により、少なくとも以下の事項が明らかとなる。
一態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記本体部の前記胴回り方向の一端側に位置する本体第１端部に設けられた接合部と、を有し、ペットの胴回りに巻きつけられて装着される、ペット用おむつであって、前記ペット用おむつは、前記胴回り方向において間隔を空けて複数配置された目印部を有する。
【００１４】
本態様によれば、使用者は、目印部に基づいてペットの胴回り方向の成長度合いを把握できる。目印部が胴回り方向に間隔を空けて配置されているため、装着時におけるおむつの任意の部分と目印部の位置関係に基づいて、胴回り寸法が大きくなったことや、適したサイズの限界まで大きくなったこと等、成長度合いを把握できる。よって、目印部に基づいて適したサイズを選択できる。
【００１５】
好ましい一態様によれば、目印部は、前記交差方向においても間隔を空けて複数配置されてよい。
【００１６】
ペットの胴回りに巻きつけられて装着されるおむつにおいて、交差方向は、股下側から股下から離れる側に向かって延びる。交差方向において複数の目印部が配置されているため、股下側から股下から離れる方向における胴回り寸法の変化を把握できる。例えば、腹側の膨らみや凹み等を通じて、成長過程のみならず体調の変化も把握することができる。
【００１７】
好ましい一態様によれば、前記接合部は、前記本体第１端部の裏面側の面に設けられており、前記目印部は、前記本体第１端部の裏面側から視認可能に設けられてよい。
【００１８】
本体第１端部の裏面側の面に設けられた接合部を本体第２端部に接合する際は、本体第１端部の外側に本体第２端部が位置する。使用者は、装着過程において、本体第２端部の端縁を外面（裏面）側から視認する。このとき、本体第２端部の端縁の位置と目印部との位置関係によって胴回り寸法を把握でき、適切なサイズである判断をしたり、成長過程を楽しんだりできる。
【００１９】
好ましい一態様によれば、前記接合部は、前記本体第１端部の裏面側の面に設けられており、前記目印部は、前記本体第２端部の表面側から視認可能に設けられてよい。
【００２０】
本体第１端部の裏面側の面に設けられた接合部を本体第２端部に接合する際は、本体第１端部の外側に本体第２端部が位置し、本体第１端部の裏面と本体第２端部の表面とが当接する。使用者は、装着過程において、互いに当接する接合部と、目印部と、を視認できる。本体第２端部の目印部と接合部との位置関係によって胴回り寸法を把握でき、適切なサイズである判断をしたり、成長過程を楽しんだりできる。
【００２１】
好ましい一態様によれば、前記接合部は、前記本体第１端部の表面側の面に設けられており、前記目印部は、前記本体第２端部の裏面側から視認可能に設けられてよい。
【００２２】
本体第１端部の表面側の面に設けられた接合部を本体第２端部に接合する際は、本体第２端部の外側に本体第１端部が位置する。使用者は、装着過程において、本体第１端部の外縁を外面（裏面）側から視認する。このとき、本体第１端部の端縁の位置と目印部との位置関係によって胴回り寸法を把握でき、適切なサイズである判断をしたり、成長過程を楽しんだりできる。
【００２３】
他の態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記本体部の前記交差方向の一端側に位置する本体第３端部において、前記本体部から前記胴回り方向の外側に延出する接合部と、を有し、ペットの腹側から股下を通って背側まで覆うように装着される、ペット用おむつであって、前記ペット用おむつは、前記交差方向において間隔を空けて複数配置された目印部を有する。
【００２４】
使用者は、目印部に基づいてペットの腹側から股下を通って背側に延びる縦方向の成長度合いを把握できる。目印部が交差方向に間隔を空けて配置されているため、装着時におけるおむつの任意の部分と目印部の位置関係に基づいて、縦方向の寸法が大きくなったことや、適したサイズの限界まで大きくなったこと等、成長度合いを把握できる。よって、目印部に基づいて適したサイズを選択できる。
【００２５】
好ましい一態様によれば、前記本体部は、前記本体部の胴回り方向の外側縁が前記胴回り方向の内側に向かって凹み、ペットの脚回りに沿って配置される一対の脚回り開口部を有し、前記複数の目印部のうち少なくとも一つの目印部は、前記一対の脚回り開口部によって挟まれた領域に配置されてよい。
【００２６】
ペットの腹側から股下を通って背側まで覆うように着用されるおむつにあっては、腹側の脚の付け根から背側に向かって延びるラインに沿って接合部を止めることが好ましい。腹側の脚の付け根から背側に向かって延びるラインに沿って接合部を止めることにより、脚回りがフィットし、漏れやずれを抑制できる。脚回り開口部によって挟まれた領域に目印部を設けることにより、脚回りに沿った領域において目印部に基づいて接合部を止着することができる。
【００２７】
好ましい一態様によれば、前記目印部は、前記胴回り方向においても間隔を空けて複数配置されてよい。
【００２８】
本態様によれば、目印部が胴回り方向に間隔を空けて配置されているため、装着時におけるおむつの任意の部分と目印部の位置関係に基づいて、胴回り寸法が大きくなったことや、適したサイズの限界まで大きくなったこと等、成長度合いを把握できる。よって、目印部に基づいて適したサイズを選択できる。
【００２９】
好ましい一態様によれば、前記ペットの尻尾を挿通可能な貫通穴と、前記貫通穴の寸法を拡大するための切り込み部と、を有する尻尾穴部が設けられており、前記目印部は、前記ペット用おむつの前記裏面シート側から視認可能に構成され、前記尻尾穴部を指標する尻尾目印部を有してよい。
【００３０】
尻尾穴部に挿通された尻尾の大きさや長さ等を通じて、ペットの成長過程も把握できる。ペットにおむつが装着された状態で、使用者は、目印部と、尻尾穴部に挿通された尻尾の状態と、の両方を視認できるため、両者に基づいて、切り込み部による尻尾穴部の拡大操作を行うかを判断できる。
【００３１】
上述のペット用おむつを収容する収容体であって、前記ペット用おむつは、前記裏面シートに第１装飾部及び前記目印部が印刷された第１おむつと、前記裏面シートに第１装飾部と異なるデザインの第２装飾部及び前記目印部が印刷された第２おむつを有しており、前記裏面シートは、前記胴回り方向と前記交差方向の少なくとも一方を含む連続方向において前記本体部の全域に配置されている。
【００３２】
第１装飾部を有する第１おむつと、第２装飾部を有する第２おむつと、によって装飾性を高めることができる。収容体内の全てのおむつが同じデザインの形態と比較して、使用者の注意を引きつけることができる。第１装飾部、第２装飾部及び目印部は、同様に裏面シートに設けられており、第１装飾部及び第２装飾部によって使用者の注意を引き付けることで、目印部の視認性を向上できる。
【００３３】
好ましい一態様によれば、前記裏面シートは、前記連続方向において前記裏面シートの外端縁から内側に延びる外側領域と、前記外側領域よりも前記連続方向の内側に位置する内側領域と、を有し、前記第１装飾部及び前記第２装飾部は、前記内側領域に設けられており、前記第１おむつの前記外側領域と、前記第２おむつの前記外側領域には、同一のデザインの共通装飾部が印刷されており、前記共通装飾部は、前記第１装飾部及び前記第２装飾部と異なってよい。
【００３４】
本態様によれば、第１おむつ及び第２おむつ共に、外側領域と内側領域のデザインが異なるため、デザインによって本体部における位置を把握し易くなる。目印部の位置を確認する際に、本体部全体における位置を把握し易く、目印部に基づいてペットの成長度合いをより的確に把握できる。異なるデザインの第１装飾部及び第２装飾部によって装飾効果を高めるとともに、共通装飾部によっておむつ全体に対する部材（本体部及び目印部）の位置を把握させ易くできる。
【００３５】
好ましい一態様によれば、前記裏面シートは、前記連続方向において前記裏面シートの外端縁から内側に延びる外側領域と、前記外側領域よりも前記連続方向の内側に位置する内側領域と、を有し、前記第１装飾部及び前記第２装飾部は、前記内側領域に設けられており、前記第１おむつの前記外側領域と、前記第２おむつの前記外側領域には、印刷がなされていない非印刷部が設けられてよい。
【００３６】
外側領域に非印刷部が設けられ、内側領域に装飾部が設けられているため、デザイン及びその有無によって本体部における位置を把握し易くなる。目印部の位置を確認する際に、本体部全体における位置を把握し易く、目印部に基づいてペットの成長度合いをより的確に把握できる。異なるデザインの第１装装飾部及び第２装飾部によって装飾効果を高めるとともに、共通の非印刷部によっておむつ全体に対する部材（本体部及び目印部）の位置を把握させ易くできる。
【００３７】
一態様に係るペット用おむつの製造方法は、シート材が連続した連続シート体を搬送するシート搬送工程と、前記連続シート体に目印部を付与する目印付与工程と、前記目印部を有する前記連続シート体に対して吸収コアを積層するコア積層工程と、前記コア積層工程は、前記連続シート体の目印部の位置を検出し、当該目印部の位置に基づいて前記吸収コアの積層位置を調整する。
【００３８】
本態様によれば、目印部と吸収コアの相対位置を一定に保つことができる。よって、目印部を基準としておむつを装着した際に、個々のおむつによって吸収コアの装着位置がずれることを抑制できる。おむつ全体における目印部の位置ずれを抑制することにより、目印部による位置合わせの精度及び成長度合いの指標精度を向上できる。
【００３９】
（２）ペット用おむつの構成
以下、図面を参照して、実施形態に係るペット用おむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４０】
本明細書において、「ペット」は、脊椎動物や無脊椎動物を広く包含し、典型的には、猫、犬、ウサギ、ハムスターなどの愛玩動物を含む。本実施の形態のペット用おむつは、犬用のおむつである。なお、変形例において、猫用のおむつであってよい。
【００４１】
図１は、第１実施形態に係るペット用おむつの肌面側からから見た平面図である。図２は、第１実施形態に係るペット用おむつの非肌面側からから見た平面図である。図３は、図１に示すＡ−Ａ線に沿ったペット用おむつの模式的断面図である。図１及び図２では、ペット用おむつ１を皺が形成されない状態まで伸長させた伸長状態を示している。また、図３に示す断面図では、説明の便宜上、各部材を厚み方向Ｔにおいて離間して示しているが、実際の製品においては厚み方向Ｔに接している。図４は、ペット用おむつの着用状態を模式的に示した図である。
【００４２】
ペット用おむつは、ペットの胴回り方向に沿って配置される胴回り方向Ｗと、胴回り方向Ｗと直交する交差方向Ｚと、胴回り方向Ｗ及び交差方向Ｚと直交する厚み方向Ｔと、を有する。交差方向Ｚは、ペットの縦方向、すなわち股下側から股下から離れる側を繋ぐ方向に延びる。厚み方向Ｔは、着用状態においてペットに当てられる表面側Ｔ１と、着用状態において外側に向けられる裏面側Ｔ２と、に延びる。図４に示すように、第１実施形態に係るペット用おむつは、ペットの腹側から股下を通って背側まで覆うように配置されず、腰周りに巻き付けるように装着される。よって、ペット用おむつ１の胴回り方向Ｗの長さは、ペット用おむつ１の交差方向Ｚの長さよりも長い。
【００４３】
ペット用おむつ１は、本体部２と、接合部４０と、を有する。本体部２は、胴回り方向Ｗの一端部である本体第１端部６１と、胴回り方向Ｗの他端部である６２と、交差方向Ｚの一端部である本体第３端部６３と、交差方向Ｚの他端部である本体第４端部６４と、を有してよい。本体第１端部６１は、ペットの胴回りに巻き付けられた装着状態（図４参照）において本体第２端部６２によって覆われ、おむつの内側（ペット側）に配置される。本体第２端部６２は、本体第１端部６１と対向しており、装着状態においておむつの外側に配置される。本体第３端部６３は、装着状態においてペットの前側に配置される。本体第４端部６４は、本体第３端部６３と対向しており、装着状態においてペットの後側に配置される。また、本発明における端部は、端縁を含む一定の範囲を占める部分である。本体第１端部６１は、本体部２の胴回り方向Ｗの一端縁である第１端縁６１Ｅから胴回り方向Ｗの内側に延びる部分である。同様に、本体第２端部６２は、本体部２の胴回り方向Ｗの他端縁である第２端縁６２Ｅから胴回り方向Ｗの内側に延びる部分である。本体第１端部及び本体第２端部６２は、本体部２の胴回り方向Ｗの端縁と吸収コア３０の胴回り方向Ｗの端縁との間の領域であってよい。また、本体第３端部６３は、本体部２の交差方向Ｚの一端縁である第３端縁６３Ｅから交差方向Ｚの内側に延びる部分である。同様に、本体第４端部６４は、本体部２の交差方向Ｚの他端縁である第４端縁６４Ｅから交差方向Ｚの内側に延びる部分である。本体第３端部６３及び本体第４端部６４は、本体部２の交差方向Ｚの端縁と吸収コア３０の交差方向Ｚの端縁との間の領域であってよい。
【００４４】
本体部２は、表面シート１０、裏面シート２０、及び吸収コア３０を少なくとも有する。表面シート１０は、ペットに当てられる面に配置されている。表面シート１０は、体液を吸収コア３０側に透過させる液透過性を有する。表面シート１０は、交差方向Ｚの中央に位置し、吸収コア３０を覆うセンターシート１１と、センターシート１１の交差方向Ｚの両側部を覆うサイドシート１２と、を有してよい。表面シート１０には、印刷部が設けられてよい。印刷部は、後述する目印部５０を構成してよい。
【００４５】
図３に示すように、サイドシート１２は、折り畳まれていてよい。具体的には、本体第３端部６３側（図１における左側）のサイドシート１２は、サイドシート１２の内側縁において裏面側Ｔ２に折り返されている。また、本体第４端部６４側（図１における右側）のサイドシート１２は、サイドシート１２の内側縁において表面側Ｔ１に折り返されるとともに、折り返された部分が表面側Ｔ１に折り返されている。折り返されたサイドシート１２間に、胴回り方向Ｗに伸長された状態のサイド伸縮性部材１３が配置されてよい。サイド伸縮性部材１３は、ペット側に起立する防漏ギャザーを構成してよい。なお、本体第３端部６３側は、着用状態においてペットの前側に配置され、本体第４端部６４側は、着用状態においてペットの後側に配置されてよい。なお、交差方向Ｚの一端部側のサイドシートと、交差方向Ｚの他端部側のサイドシートとは、本実施の形態において非対称であるが、変形例において対称であってよい。
【００４６】
吸収コア３０は、表面シート１０と裏面シート２０の間に配置されている。吸収コア３０は、パルプ等の吸収材料が積層されている。吸収コア３０を覆うコアラップ３２が設けられていてよい。吸収コア３０は、胴回り方向Ｗにおいて本体部２の両端縁は、本体部２の胴回り方向Ｗの長さよりも短い。吸収コア３０は、本体部２の胴回り方向Ｗの中央に配置され、本体部２の胴回り方向Ｗの外側部には設けられていない。また、吸収コア３０は、交差方向Ｚにおいて本体部２の両端縁よりも内側に配置されてよい。すなわち、吸収コア３０の交差方向Ｚの長さは、本体部２の交差方向Ｚの長さよりも短くてよい。吸収コア３０は、本体部２の交差方向Ｚの中央に配置され、本体部２の交差方向Ｚの外側部には設けられていなくてよい。また、吸収コア３０及びコアラップには、印刷部が設けられてよい。印刷部は、目印部５０を構成してよい。
【００４７】
裏面シート２０は、液不透過性の裏面フィルム２１と、裏面フィルム２１よりも裏面側に位置する裏面不織布２２と、を有してよい。なお、変形例において、裏面シートは、液不透過性の裏面フィルム２１と、裏面フィルム２１よりも表面側に位置する裏面不織布と、を有してよい。裏面フィルム２１の表面側Ｔ１の面には、体液の接触によって呈色反応を示すインジケータと、印刷部が設けられてよく、裏面フィルム２１の裏面側Ｔ２の面には、印刷部が設けられてよい。インジケータ及び印刷部の少なくとも一方は、目印部５０を構成してよい。裏面フィルム２１の交差方向Ｚの長さは、裏面不織布２２の交差方向Ｚの長さよりも短くてよい。すなわち、裏面不織布２２は、裏面フィルム２１よりも交差方向Ｚの両側に延出してよい。裏面フィルム２１全体に印刷部が設けられた形態にあっては、裏面フィルム２１が配置された領域が印刷領域Ｒ１を構成し、裏面フィルム２１よりも交差方向Ｚの両側に、印刷が施されていない非印刷領域Ｒ２が設けられていてよい。
【００４８】
本体部２の交差方向Ｚの両端部には、胴回り方向Ｗに伸縮する胴回りギャザーが配置されてよい。胴回りギャザーは、吸収コア３０よりも交差方向Ｚの外側に位置しており、表面シート１０、裏面シート２０、及び胴回り伸縮性部材２５によって構成されてよい。胴回り伸縮性部材２５は、表面シート１０と裏面シート２０の間に配置され、胴回り方向Ｗに伸長された状態で表面シート１０及び裏面シート２０に固定されてよい。
【００４９】
接合部４０は、装着状態において、互いに対向する本体部２同士を接合する。具体的には、本体部２の裏面シート側の面である外面２Ｑを本体部２の表面シート１０側の面である内面２Ｐに止めるための接合手段である。本実施の形態の接合部４０は、本体部２の外面に配置されたメカニカルファスナである。接合部４０は、本体部２の表面シート１０に係止可能に構成されている。接合部４０は、本体第１端部６１に設けられている。ペット用おむつ１を装着する際に、本体第２端部６２によって接合部４０を覆うように配置することで、接合部４０が表面シート１０に係止して、ペット用おむつの着用状態を維持できる。なお、変形例において、接合部は、本体部２の内面に配置されており、本体部２の裏面シートに係止可能に構成されてよい。
【００５０】
次いで、目印部５０について説明する。目印部５０は、ペット用おむつ１の胴回り方向Ｗの寸法を指標する。目印部５０は、胴回り方向Ｗにおいて間隔を空けて複数配置されている。第１実施形態の目印部５０は、接合部４０よりも第１端縁６１Ｅ側に位置する第１目印部５１と、接合部４０よりも第２端縁６２Ｅ側に位置する第２目印部５２と、第２目印部５２よりも第２端縁６２Ｅ側に位置する第３目印部５３と、を有する。目印部５０は、胴回り方向Ｗにおいて接合部４０を挟んで複数配置されていてもよいし、接合部４０よりも第２端縁６２Ｅ側のみに複数配置されていてもよい。複数の目印部の胴回り方向におけるピッチは、１０ｃｍ以下であってよく、好ましくは、７０ｃｍ以下であり、より好ましくは、５ｃｍ以下であってよい。
【００５１】
ペットの胴回りにおむつが巻き付ける態様によって、本体部２の任意の部分と目印部５０との位置関係が変化する。例えば、装着状態において、本体第２端部６２における第２端縁６２Ｅが第１目印部５１に位置する場合には、本体第２端部６２が接合部４０に係合しないため、使用者は、おむつのサイズが適切でないことを把握できる。また、装着状態において、第２端縁６２Ｅが第２目印部５２又は第３目印部５３に位置する場合には、使用者は、おむつのサイズが適切であることを把握できる。また、通常は第２端縁６２Ｅが第３目印部５３に位置するが、装着時に第２端縁６２Ｅが第２目印部５２に位置する場合には、胴回り寸法が変化し、ペットが成長したことを把握できる。
【００５２】
目印部５０が胴回り方向Ｗに間隔を空けて配置されているため、装着時におけるおむつの任意の部分と目印部５０の位置関係に基づいて、胴回り寸法が大きくなったことや、適したサイズの限界まで大きくなったこと等、成長度合いを把握できる。よって、目印部５０に基づいて適したサイズを選択できる。また、適したサイズでないおむつを装着した場合であっても、目印部５０に基づいてサイズの違いを把握でき、適したサイズを選択し直すことができる。また、ペットによっては、季節に応じて毛を手入れしたり、毛が抜けたりして、毛の状態が変化して、胴回り方向Ｗの寸法が変化する。目印部５０に基づいてペットの胴回り方向Ｗの寸法を把握することにより、季節に応じた寸法の変化を把握でき、適切に装着できる。
【００５３】
複数の目印部５０は、同じデザインであってもよいし、異なるデザインであってもよい。異なるデザインにすることにより、各目印部５０を識別し易くなる。また、目印部５０がおむつのサイズを指標する形態にあっては、目印部５０と共に該当サイズを示してもよい。具体的には、目印部５０内又は目印部５０の近傍に、対応するサイズを示したり、各サイズのパッケージの色と同様の色を目印部５０に付したりできる。このような対応によれば、目印部５０とおむつサイズとの対応付けを行うことができる。なお、本発明において異なるデザインとは、図柄、模様等の形状が異なる構成のみならず、色（色合い及び濃さ）が異なる構成も含む概念である。
【００５４】
目印部５０は、交差方向Ｚにおいても間隔を空けて複数配置されてよい。目印部５０は、交差方向Ｚに間隔を空けて配置された第４目印部５４を有している。ペットの胴回りに巻きつけられて装着されるおむつにおいて、交差方向Ｚは、股下側から股下から離れる側に向かって延びる。交差方向Ｚにおいて複数の目印部５０が配置されているため、股下側から股下から離れる方向における胴回り寸法の変化を把握できる。例えば、腹側の膨らみや凹み等を通じて、成長過程のみならず体調の変化も把握することができる。また、交差方向Ｚに沿って複数の目印部５０が配置されるため、種々の方向（例えば、前側から視認した場合、後側から視認した場合）においても、目印部５０を把握し易い。なお、変形例において、第１目印部５１から第３目印部５３の少なくともいずれかが、交差方向Ｚにおいても間隔を空けて複数配置されてよい。
【００５５】
また、第４目印部５４は、吸収コア３０の交差方向Ｚの外側部の近傍に配置されており、吸収コア３０の位置を指標してもよい。図４に示すように、ペット用おむつ１は、本体部２の胴回り方向Ｗをペットの胴回りに沿わせて、ペットの胴回りにペット用おむつ１を巻き付けて装着する。このとき、吸収コア３０は、本体部２の胴回り方向Ｗの全域に配置されてなく、本体部２の胴回り方向Ｗの両側部に配置されていない。例えば、本体部２の胴回り方向Ｗの外側部（吸収コアが配置されていない部分）がペットの排泄口に対向するように装着されると、によって体液を吸収できず、漏れが発生する。しかし、目印部５０に基づいて排泄物を吸収できる適切な位置に吸収コア３０を配置し、排泄物の漏れを抑制することができる。
【００５６】
接合部４０は、本体第１端部６１の裏面側の面に設けられており、目印部５０は、本体第１端部６１の裏面側の面に設けられていてよい。本体第１端部６１の裏面側の面に設けられた接合部４０を本体第２端部６２に接合する際は、本体第１端部６１の外側に本体第２端部６２が位置する。使用者は、装着過程において、本体第２端部６２の第２端縁６２Ｅを外面（裏面）側から視認する。このとき、第２端縁６２Ｅの位置と目印部５０との位置関係によって胴回り寸法を把握でき、適切なサイズである判断をしたり、成長過程を楽しんだりできる。
【００５７】
また、他の態様として、接合部４０は、本体第１端部６１の裏面側の面に設けられており、目印部５０は、本体第２端部６２の表面側から視認可能に設けられてもよい。本体第１端部６１の裏面側の面に設けられた接合部４０を本体第２端部６２に接合する際は、本体第１端部６１の外側に本体第２端部６２が位置し、本体第１端部６１の裏面と本体第２端部６２の表面とが当接する。使用者は、装着過程において、互いに当接する接合部４０と、目印部５０と、を視認できる。本体第２端部６２の目印部５０と接合部４０との位置関係によって胴回り寸法を把握でき、適切なサイズである判断をしたり、成長過程を楽しんだりできる。
【００５８】
本実施の形態の第１目印部５１、第２目印部５２、第３目印部５３及び第４目印部５４は、ペット用おむつ１の裏面シート側（裏面側）から視認可能に構成されている。ペット用おむつの裏面シート側は、装着時に外側に位置しておりペットにおむつを当てた後でも視認可能であるため、装着操作の過程のみならず、装着操作後にも使用者が目印部５０を把握できる。ペット用おむつ１の裏面シート側（裏面側）から視認可能な目印部５０は、裏面シート２０に設けられた印刷部であってもよいし、裏面シート２０又はコアラップ３２に設けられたインジケータであってもよい。
【００５９】
本実施の形態の裏面フィルム２１の外面には、全体に亘って印刷部が設けられている。印刷部は、目印部５０を構成するとともに装飾部を構成してよい。図２及び図３に示すように、本実施の形態の裏面フィルムの裏面側の面には、第２目印部５２を構成する印刷部と、装飾部７０構成する印刷部と、が設けられている。なお、装飾部７０は、目印部以外のデザインを有する部分であり、図柄や模様を有するデザインのみならず、色のみからなる背景色を含む。また、図４においては、装飾部７０を省略して示している。
【００６０】
他の態様として、接合部４０は、本体第１端部６１の表面側の面に設けられており、目印部５０は、本体第２端部６２の裏面側から視認可能に設けられてよい。本体第１端部６１の表面側の面に設けられた接合部４０を本体第２端部６２に接合する際は、本体第２端部６２の外側に本体第１端部６１が位置する。使用者は、装着過程において、本体第１端部６１の外縁を外面（裏面）側から視認する。このとき、本体第１端部６１の第１端縁６１Ｅの位置と目印部５０との位置関係によって胴回り寸法を把握でき、適切なサイズである判断をしたり、成長過程を楽しんだりできる。
【００６１】
目印部５０は、ペット用おむつ１の表面シート側（裏面側）から視認可能に構成されてよい。ペット用おむつの表面シート側は、装着時にペットに当てる面側である。第１目印部５１によれば、当該第１目印部５１を身体に当てる際に、使用者が目印部５０を把握し易い。
【００６２】
ペット用おむつ１の表面シート側（表面側）から視認可能な目印部は、表面シート１０に設けられた印刷部であってもよいし、吸収コア３０又はコアラップ３２に設けられた印刷部であってもよいし、裏面シート２０に設けられた印刷部又はインジケータであって、吸収コア３０の低坪量部を介して視認可能に構成されていてもよい。なお、低坪量部は、周囲よりも吸収材料の坪量が低い部分又は吸収材料の坪量が０の部分である。
【００６３】
なお、本発明における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できることを意味している。
【００６４】
次いで、第２実施形態に係るペット用おむつ１Ｘについて説明する。第２実施形態に係るペット用おむつは、猫用のおむつである。なお、変形例において、犬用のおむつであってよい。以下の第２実施形態の説明において、第１実施形態と同様の構成については同符号を用いて説明を省略する。図５は、第２実施形態に係るペット用おむつの肌面側から見た平面図である。図６は、第２実施形態に係るペット用おむつ１Ｘの非肌面側から見た平面図である。図７は、第２実施形態に係るペット用おむつ１Ｘの着用状態を模式的に示した図である。
【００６５】
ペット用おむつ１Ｘは、本体部２Ｘと、接合部４０Ｘと、を有する。第２実施形態のペット用おむつ１Ｘは、ペットの腹側から股下を通って背側まで覆うように着用される。そのため、第２実施形態のペット用おむつ１Ｘは、第１実施形態のペット用おむつよりも交差方向Ｚにおける長さが長い。本体部２Ｘは、表面シート１０、裏面シート２０、及び吸収コア３０を有する。吸収コア３０は、交差方向Ｚにおいて本体部２Ｘの交差方向Ｚの一端側に位置する本体第３端部６３側に偏倚している。吸収コア３０は、後述する尻尾穴部６０よりも本体第３端部６３側のみに配置されている。本体部２Ｘの交差方向Ｚの長さは、本体部２Ｘの胴回り方向Ｗの長さよりも長い。
【００６６】
接合部４０Ｘは、本体部２の交差方向Ｚの一端部である本体第３端部６３において、本体部２Ｘよりも胴回り方向Ｗの両外側に延出している。より詳細には、接合部４０Ｘは、本体第３端部６３において本体部２Ｘよりも胴回り方向Ｗの両外側に延出したファスニングテープ９０に設けられている。接合部４０Ｘは、本体部２Ｘの内面２Ｐに配置されており、本体部２の外面２Ｑにもうけられたターゲット部４５に接合可能に構成されている。なお、変形例において、本体部は、ターゲット部を備えず、接合部４０Ｘは、本体部２の外面２Ｑ側の裏面シートに接合するように構成されてよい。変形例において、接合部４０Ｘは、本体第４端部６４において、本体部２Ｘよりも胴回り方向Ｗの両外側に延出てもよい。
【００６７】
ペット用おむつ１Ｘを装着する際は、本体第３端部６３（接合部４０Ｘが設けられた側の端部）をペットの腹に当てる。このとき、本体部２Ｘの交差方向Ｚの他端部を、ペットの両足の間を通し、かつペットの後側に出しておく。そして、本体部２Ｘの交差方向Ｚの中央をペットの排泄口に当てて、本体第４端部６４によってペットの臀部及び背中を覆う。次いで、接合部４０Ｘをペットの背中側に引っ張り、背中側に位置する本体第４端部６４のターゲット部４５に外面に止める。これにより、図７に示すように、ペットの腹、背中、及び股下を覆うようにペット用おむつ１Ｘを装着できる。すなわち、ペット用おむつ１Ｘは、ペットの腹側から股下を通って背側まで覆うように装着される。
【００６８】
なお、ペット用おむつ１Ｘは、ペットの尻尾を挿入可能な尻尾穴部６０が設けられてよい。尻尾穴部６０は、ペットの尻尾を挿通可能な貫通穴６０Ｘと、貫通穴の寸法を拡大するための切り込み部６０Ｙと、を有する。尻尾穴部６０を有するおむつにあっては、装着時の本体部２Ｘの交差方向Ｚの他端部によってペットの臀部及び背中を覆う際に、尻尾穴部６０の貫通穴６０Ｘにペットの尻尾を挿通させてよい。貫通穴６０Ｘは、半円形の切り込みであってよい。切り込み部６０Ｙは、ミシン目等、表面シート１０及び裏面シート２０を引き裂き可能な構成であってよく、ペットの種類及び成長過程に応じて貫通穴６０Ｘの寸法を調整できる。なお、第２実施形態における本体第４端部６４は、本体部２の交差方向Ｚの端縁と吸収コア３０の交差方向Ｚの端縁との間の領域であってよいし、本体部２の交差方向Ｚの端縁と尻尾穴部６０との間の領域であってもよい。
【００６９】
図６に示すように、本体部２Ｘは、本体部２Ｘの胴回り方向Ｗの外側縁が胴回り方向Ｗの内側に向かって凹み、ペットの脚回りに沿って配置される一対の脚回り開口部６５を有してよい。脚回り開口部６５は、おむつの交差方向Ｚの中心を跨って配置されており、胴回り方向Ｗの内側に向かって凹んだ部分である。
【００７０】
図６に示すように、目印部５０は、交差方向Ｚにおいて間隔を空けて複数配置されている。第２実施形態の目印部５０は、本体第４端部６４に配置されており、接合部４０よりも第４端縁６４Ｅ側に位置する第５目印部５５と、接合部４０よりも第３端縁６３Ｅ側に位置する第６目印部５６と、第６目印部５６よりも第３端縁６３Ｅ側に位置する第７目印部５７と、を有する。目印部５０は、交差方向Ｚにおいて接合部４０Ｘを挟んで複数配置されていてもよいし、接合部４０Ｘよりも第３端縁６３Ｅ側のみに複数配置されていてもよい。
【００７１】
ペットの腹側から股下を通って背側を覆うようにおむつが装着される態様において、ペットの胴体の縦方向の長さに応じて、本体部の任意の部分と目印部５０との位置関係が変化する。例えば、装着状態において、本体第３端部６３の第３端縁が第５目印部５５に位置する場合には、本体第３端部６３が接合部４０Ｘに係合しないため、使用者は、おむつのサイズが適切でないことを把握できる。また、装着状態において、第３端縁６３Ｅが第６目印部５６又は第７目印部５７に位置する場合には、使用者は、おむつのサイズが適切であることを把握できる。また、通常は第３端縁が第７目印部５７に位置するが、装着時に第３端縁が第６目印部５６に位置する場合には、胴回り寸法が変化し、ペットが成長したことを把握できる。
【００７２】
目印部５０が交差方向Ｚに間隔を空けて配置されているため、装着時におけるおむつの任意の部分と目印部５０の位置関係に基づいて、縦方向の寸法が大きくなったことや、適したサイズの限界まで大きくなったこと等、成長度合いを把握できる。よって、目印部５０に基づいて適したサイズを選択できる。また、適したサイズでないおむつを装着した場合であっても、目印部５０に基づいてサイズの違いを把握でき、適したサイズを選択し直すことができる。例えば、着用者の腹側から股下を通って背側を覆うように装着される乳幼児用のおむつにあっては、縦方向の装着位置をずらすことができ、一般的に、交差方向の一端と他端が一致するように装着される。しかし、尻尾穴部を有するペット用のおむつは、縦方向の装着位置をずらし難く、ペットの身体に沿わせると、交差方向の一端と他端が一致しないことがある。このとき、使用者が、交差方向の一端と他端が一致するように装着すると、腹側が突っ張ったり、腹側がたるんだりする不具合が生じることがある。しかし、ペットに適切に装着された状態における目印部５０の位置関係に基づいて、適切な位置に装着し続けることができる。
【００７３】
複数の目印部５０のうち少なくとも一つの目印部５０は、一対の脚回り開口部６５によって挟まれた領域に配置されてよい。ペットの腹側から股下を通って背側まで覆うように着用されるおむつにあっては、腹側の脚の付け根から背側に向かって延びるライン（図７のＦＬ）に沿って接合部４０Ｘを止めることが好ましい。腹側の脚の付け根から背側に向かって延びるラインに沿って接合部４０Ｘを止めることにより、脚回りがフィットし、漏れやずれを抑制できる。脚回り開口部によって挟まれた領域に目印部５０を設けることにより、脚回りに沿った領域において目印部５０に基づいて接合部４０Ｘを止着することができる。
【００７４】
目印部５０は、胴回り方向Ｗにおいても間隔を空けて複数配置されてよい。第２実施形態の目印部５０は、交差方向Ｚに間隔を空けて配置された第８目印部５８を有する。第８目印部５８は、ターゲット部４５に配置されている。複数の第８目印部５８は、寸法が異なっており、胴回り方向Ｗの中心から胴回り方向Ｗの外側に向かって徐々に大きくなっている。接合部４０Ｘをターゲット部に止着した状態で、ファスニングテープ９０と第８目印部５８の位置関係が変化する。例えば、最も寸法が小さい第８目印部５８とファスティングテープが近い場合には、胴回りの寸法が小さく、おむつのサイズが十分な余裕があることを把握できる。そして、最も寸法が大きい第８目印部５８とファスティングテープが近い場合には、胴回りの寸法が大きくなり、次のサイズのおむつに切り替えてよいことを把握できる。なお、変形例において、第５目印部５５から第７目印部５７の少なくともいずれかが、胴回り方向Ｗにおいても間隔を空けて複数配置されてよい。
【００７５】
目印部５０は、ペット用おむつの裏面シート側から視認可能に構成され、尻尾穴部６０を指標する尻尾目印部５９を有してよい。使用者は、尻尾目印部５９に基づいて尻尾穴部６０の存在を気づき、尻尾穴部６０に尻尾を挿通しておむつを装着できる。また、尻尾穴部６０に尻尾を通すことにより、本体部２の方向を適切に配置でき、適切な位置に装着できる。尻尾穴部６０に挿通された尻尾の大きさや長さ等を通じて、ペットの成長過程も把握できる。ペットにおむつが装着された状態で、使用者は、目印部５０と、尻尾穴部６０に挿通された尻尾の状態と、の両方を視認できるため、両者に基づいて、切り込み部６０Ｙによる尻尾穴部の拡大操作を行うかを判断できる。
【００７６】
尻尾目印部５９は、尻尾穴部６０の近傍に配置されてよい。例えば、図６に示すように、尻尾穴部６０の平面視の最大寸法６０Ｍを基準として、尻尾穴部６０と尻尾目印部５９の最小間隔Ｇが６０Ｍ以下であってもよい。好適には、尻尾穴部６０と尻尾目印部５９の最大間隔が６０Ｍ以下であってもよい。または、尻尾穴部６０と尻尾目印部５９の最小間隔が２０ｍｍであってもよい。好適には、尻尾穴部６０と尻尾目印部５９の最大間隔が２０ｍｍであってもよい。より好適には、尻尾目印部５９の少なくとも一部が、尻尾穴部に重なっていてよい。使用者は、尻尾目印部と尻尾穴部の両方を一度に視認しやすくなり、尻尾目印部によって尻尾穴部の存在を気づきやすくなる。
【００７７】
尻尾目印部５９は、ペット用おむつの装着方向を指標してよい。装着方向は、具体的には、着用時における上下方向及び左右方向を例示できる。ペットの腹側から股下を通って背側まで覆うように装着される形態にあっては、使用者が、腹側に当てる領域と背側に当てる領域を正確に区別できずに、腹側と背側を間違えて装着してしまうおそれがある。しかし、尻尾目印部５９がペット用おむつの装着方向を指標することにより、装着時におむつの装着方向を示すことができ、正しい方向で装着することができる。また、誤った方向で装着した場合であっても、装着後に尻尾目印部５９を視認して、正しい方向に直すことができる。
【００７８】
装着方向を指標する尻尾目印部５９は、上下方向を有するデザインによって方向を示してもよいし、上下方向を有する文字、数字、及び記号によって方向を示してよい。正しい方向でおむつを装着することにより、デザインが正しい方向に配置されたり、文字が正しい方向に配置されたりすることにより、おむつの装着方向を示すことができる。本実施の形態の尻尾目印部５９は、リボンのデザインを有しており、結び目から放射状に延びる２つの輪が上側に位置し、結び目から垂れる部分が下側に位置した状態が正しい方向となる。リボンのデザインによって正しい装着方向を示すことができる。
【００７９】
第２実施形態の他の態様として、接合部４０Ｘは、本体第３端部６３の裏面側の面に設けられており、目印部５０は、本体第３端部６３の裏面側の面に設けられてよい。本体第３端部６３の裏面側の面に設けられた接合部を本体第４端部６４に接合する際は、本体第３端部６３の外側に本体第４端部６４が位置する。使用者は、装着過程において、本体第４端部６４の端縁を外面（裏面）側から視認する。このとき、本体第４端部６４の端縁の位置と目印部５０との位置関係によって胴回り寸法を把握でき、適切なサイズである判断をしたり、成長過程を楽しんだりできる。
【００８０】
また、他の態様として、接合部４０Ｘは、本体第３端部６３の裏面側の面に設けられており、目印部５０は、本体第４端部６４の表面側から視認可能に設けられてもよい。本体第３端部６３の裏面側の面に設けられた接合部を本体第４端部６４に接合する際は、本体第３端部６３の外側に本体第４端部６４が位置し、本体第３端部６３の裏面と本体第４端部６４の表面とが当接する。使用者は、装着過程において、互いに当接する接合部と、目印部５０と、を視認できる。本体第４端部６４の目印部５０と接合部との位置関係によって胴回り寸法を把握でき、適切なサイズである判断をしたり、成長過程を楽しんだりできる。
【００８１】
次いで、このように構成されたペット用おむつの製造方法の一例について説明する。ペット用おむつの製造方法は、シート材が連続した連続シート体を搬送するシート搬送工程と、連続シート体に印刷を施し、目印部５０を設ける目印付与工程と、目印部５０を有する連続シート体に対して吸収コア３０を積層する吸収コア積層工程と、を有してよい。
【００８２】
シート材が連続した連続シート体を搬送するシート搬送工程は、表面シート１０、裏面シート及びコアラップのいずれかを構成するシート材が連続した連続シート体を搬送する。目印付与工程は、連続シート体に目印部５０を付与する。目印部５０の付与は、印刷によって行ってもよいし、エンボス加工によって行ってもよい。コア積層工程は、連続シート体の目印部５０の位置を検出する。目印部５０の検出は、カメラ等の撮像手段によって目印部５０の位置を検出してよい。コア積層工程は、目印部５０の位置に基づいて吸収コア３０の積層位置を調整する。吸収コア３０の積層位置の調整は、吸収コア３０と連続シート体との位置の調整である。具体的には、連続シート体の送り出し量を調整することによって、連続シート体と吸収コア３０の搬送方向における位置を調整できる。また、搬送方向と直交する直交方向における連続シート体の側端に接する調整機構を設け、当該調整機構によって連続シート体の直交方向における位置を調整してもよい。このような製造方法によれば、目印部５０と吸収コア３０の相対位置を一定に保つことができる。よって、目印部５０を基準としておむつを装着した際に、個々のおむつによって吸収コア３０の装着位置がずれることを抑制できる。おむつ全体における目印部５０の位置ずれを抑制することにより、目印部５０による位置合わせの精度及び成長度合いの指標精度を向上できる。
【００８３】
次いで、図８に基づいて、複数のペット用おむつが包装体に収容された収容体１００について説明する。収容体１００は、複数のペット用おむつ１Ｙ、１Ｚと、当該複数のペット用おむつ１Ｙ、１Ｚを収容する包袋体１１０と、を有する。複数のペット用おむつは、裏面シート２０に第１装飾部７１が印刷された第１おむつ１Ｙと、第１装飾部７１と異なるデザインの第２装飾部７２が裏面シート２０に印刷された第２おむつ１Ｚを有する。なお、ここにおける第１装飾部７１及び第２装飾部７２は、２つのデザインが異なっていればよく、第２実施形態の第１装飾部７１及び第２装飾部７２と異なるデザインであってよい。本実施の形態では、裏面シートの裏面フィルムに第１装飾部又は第２装飾部が印刷されている。本実施形態によれば、第１装飾部及び目印部５０を有する第１おむつと、第２装飾部７２及び目印部５０を有する第２おむつと、によって装飾性を高めて使用者の注意を引きつけ、目印部５０の視認性を向上できる。第１装飾部及び第２装飾部は、目印部５０以外のデザインを有する部分であり、図柄や模様を有するデザインのみならず、色のみからなる背景色を含む。
【００８４】
裏面シート２０は、胴回り方向Ｗと交差方向Ｚの少なくとも一方である連続方向ＣＤにおいて本体部２Ｙの全域に配置されている。本実施の形態の裏面シート２０は、胴回り方向Ｗにおいて連続しており、連続方向ＣＤは、胴回り方向Ｗと一致する。第１装飾部７１及び第２装飾部７２を有する裏面シート２０が連続方向において本体部２Ｙの全域に配置されており、装飾部を目立たせることができる。第１装飾部、第２装飾部及び目印部５０は、同様に裏面シートに設けられており、第１装飾部及び第２装飾部によって使用者の注意を引き付けることで、目印部５０の視認性を向上できる。
【００８５】
また、第１おむつの目印部５０と、第２おむつの目印部５０は、同じデザインであってよい。使用者が目印部５０の存在及び機能を把握し易い。また、第１おむつの目印部５０と、第２おむつの目印部５０は、異なるデザインであってよい。第１おむつの目印部５０と、第２おむつの目印部５０と、の違いによって、デザインのバリエーションを増やすことができ、装飾効果を高めることができる。なお、包装体に収容されるおむつは、少なくとも第１おむつと第２おむつであればよく、第１装飾部及び第２装飾部と異なるデザインの第３装飾部を有する第３おむつを備えていてよく、複数種類のおむつを備えてよい。
【００８６】
裏面シートは、連続方向ＣＤにおいて裏面シートの外端縁から内側に延びる外側領域Ｒ３１と、外側領域Ｒ３１よりも連続方向の内側に位置する内側領域Ｒ３２と、を有してよい。第１装飾部７１及び第２装飾部７２は、内側領域Ｒ３２に設けられてよい。第１おむつの外側領域Ｒ３１と、第２おむつの外側領域Ｒ３１には、同一のデザインの共通装飾部７３が印刷されてよい。共通装飾部７３は、第１装飾部７１及び第２装飾部７２と異なってよい。すなわち、第１おむつ１Ｙは、内側領域Ｒ３２内の第１装飾部７１と、外側領域Ｒ３１内の共通装飾部７３と、を有する。また、第２おむつ１Ｚは、内側領域Ｒ３２内の第２装飾部７２と、外側領域Ｒ３１内の共通装飾部７３と、を有する。第１おむつ及び第２おむつ共に、外側領域Ｒ３１と内側領域Ｒ３２のデザインが異なるため、デザインによって本体部２Ｙにおける位置を把握し易くなる。目印部５０の位置を確認する際に、本体部２Ｙ全体における位置を把握し易く、目印部５０に基づいてペットの成長度合いをより的確に把握できる。すなわち、異なるデザインの第１装飾部７１及び第２装飾部７２によって装飾効果を高めるとともに、共通装飾部７３によっておむつ全体に対する部材（本体部２Ｙ及び目印部５０）の位置を把握させ易くできる。
【００８７】
次いで、図９に基づいて、変形例に係るペット用おむつの収容体１０１について説明する。収容体１０１は、複数のペット用おむつ１Ｐ、１Ｑと、当該複数のペット用おむつ１Ｐ、１Ｑを収容する包袋体１１０と、を有する。ペット用おむつの収容体１０１の説明において、上述のペット用おむつの収容体１００と同様の構成については、同符号を用いて説明を省略する。収容体１０１内の複数のペット用おむつは、第１おむつ１Ｐと第２おむつ１Ｑを少なくとも有する。第１おむつ１Ｐの外側領域Ｒ３１と、第２おむつ１Ｑの外側領域Ｒ３１には、印刷がなされていない非印刷部７４が設けられている。
【００８８】
第１おむつ１Ｐは、内側領域Ｒ３２内の第１装飾部７１と、外側領域Ｒ３１内の非印刷部７４と、を有する。また、第２おむつ１Ｚは、内側領域Ｒ３２内の第２装飾部７２と、外側領域Ｒ３１内の非印刷部７４と、を有する。外側領域Ｒ３１に非印刷部７４が設けられ、内側領域Ｒ３２に装飾部が設けられているため、デザイン及びその有無によって本体部における位置を把握し易くなる。目印部５０の位置を確認する際に、本体部全体における位置を把握し易く、目印部５０に基づいてペットの成長度合いをより的確に把握できる。異なるデザインの第１装装飾部及び第２装飾部によって装飾効果を高めるとともに、共通の非印刷部によっておむつ全体に対する部材（本体部及び目印部５０）の位置を把握させ易くできる。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００９０】
おむつの装着によってペットの成長度合いを把握し易いペット用おむつを提供することができる。
【符号の説明】
【００９１】
１：ペット用おむつ
２：本体部
１０：表面シート
２０：裏面シート
３０：吸収コア
４０：接合部
５０：目印部
５９：尻尾目印部
６１：本体第１端部
６２：本体第２端部
６３：本体第３端部
６４：本体第４端部
６５：脚回り開口部
７１：第１装飾部
７２：第２装飾部
７３：共通装飾部
【図１】
2020188697.tif 000003
【図２】
2020188697.tif 000004
【図３】
2020188697.tif 000005
【図４】
2020188697.tif 000006
【図５】
2020188697.tif 000007
【図６】
2020188697.tif 000008
【図７】
2020188697.tif 000009
【図８】
2020188697.tif 000010
【図９】
2020188697.tif 000011